(57)【要約】【課題】  大容量かつ高品質のソフトウェアを安価で高速にダウンロードすることができるソフトウェアウェア提供方法、ソフトウェア提供システム及び端末装置を提供すること。【解決手段】  放送局１はＰＣ４がダウンロードするためのソフトウェアを、当該ソフトウェアのダウンロードが必要なユーザの認証情報を含めて放送し、前記ソフトウェアのダウンロードが必要なＰＣ４は、放送局１から受信したソフトウェアを、当該認証情報を使ってダウンロードすることとした。これにより、大容量かつ高品質のソフトウェアを安価で高速にダウンロードすることができる。【選択図】  図５
2005115781.tif 000002
【特許請求の範囲】
【請求項１】
放送局から個々のユーザに対する視聴ライセンスを認証する認証情報を含めて番組を放送し、前記認証情報を有するユーザの端末が受信した番組を当該認証情報を用いて再生するシステムにあって、
前記放送局はユーザ端末がダウンロードするためのソフトウェアを当該ソフトウェアのダウンロードが必要なユーザの認証情報を含めて放送し、
前記ソフトウェアのダウンロードが必要なユーザ端末は受信したソフトウェアを当該ユーザの認証情報を用いてダウンロードすることを特徴とするソフトウェア提供方法。
【請求項２】
請求項１に記載のソフトウェア提供方法において、
前記ソフトウェアは、アプリケーションソフトウェア、オペレーティングシステムのバージョンアップ用修正ファイル及び当該端末のファームウェアのバージョンアップ用修正ファイルのうち少なくとも１つであることを特徴とするソフトウェア提供方法。
【請求項３】
請求項１又は請求項２に記載のソフトウェア提供方法において、
前記放送局は、前記ソフトウェアを無料で提供する場合には前記ユーザ端末が前記認証情報を使わずに当該ソフトウェアをダウンロードできるように当該ソフトウェアを放送することを特徴とするソフトウェアの提供方法。
【請求項４】
請求項１に記載のソフトウェア提供方法において、
前記放送局は、ユーザ端末がダウンロードするためのソフトウェアを当該ソフトウェアのダウンロードが必要なユーザの認証情報を含めるとともに、当該ソフトウェアの提供者への送信先の情報を含めて放送し、
前記ユーザ端末は、前記放送に前記送信先の情報が含まれているか否かを判断し、含まれていると判断した場合に、前記送信先に所定の情報を送信することを特徴とするソフトウェア提供方法。
【請求項５】
請求項４に記載のソフトウェア提供方法において、
前記送信先の情報は、携帯型電話機のダイヤル番号に関する情報又はネットワーク上の所在場所に関する情報であることを特徴とするソフトウェア提供方法。
【請求項６】
請求項４又は請求項５に記載のソフトウェア提供方法において、
前記所定の情報には、前記ソフトウェアをダウンロードして記憶するための記憶容量に関する情報、前記ソフトウェアのバージョンに関する情報、前記ソフトウェアのダウンロード後の前記ソフトウェアの稼動状況に関する情報及び前記ソフトウェアのダウンロード後のユーザの満足度に関する情報のうち、少なくとも一つが含まれることを特徴とするソフトウェア提供方法。
【請求項７】
放送局から個々のユーザに対する視聴ライセンスを認証する認証情報を含めて番組を放送し、ユーザ端末が受信した番組を当該認証情報を用いて再生可能とするシステムにおいて、
前記放送局は、ソフトウェア又はデータを記憶したサーバから前記ソフトウェア又はデータをロードして利用可能とするために必要なユーザの認証情報を前記ユーザ端末に放送し、
前記ユーザ端末は、前記放送局から放送された前記ユーザの認証情報に基づいて、前記ソフトウェア又はデータを前記サーバから利用可能にロードすることを特徴とするソフトウェア提供方法。
【請求項８】
放送局から個々のユーザに対する視聴ライセンスを認証する認証情報を含めて番組を放送し、前記認証情報を有するユーザ端末が受信した番組を当該認証情報を用いて再生するシステムにおいて、
前記放送局は、ソフトウェア又はデータを記憶したリムーバブルメディアから前記ソフトウェア又はデータをロードして利用可能とするために必要なユーザの認証情報を前記ユーザ端末に放送し、
前記ユーザ端末は、前記放送局から放送された前記ユーザの認証情報に基づいて、前記ソフトウェア又はデータを利用可能にロードすることを特徴とするソフトウェア提供方法。
【請求項９】
請求項７又は請求項８に記載のソフトウェア提供方法において、
前記データ又はソフトウェアは、前記ユーザ端末にロードされた後更に情報機器にロードされ、当該情報機器内部の記憶装置において記憶されることを特徴とするソフトウェア提供方法。
【請求項１０】
放送局から個々のユーザに対する視聴ライセンスを認証する認証情報を含めて番組を放送し、前記認証情報を有するユーザ端末が受信した番組を当該認証情報を用いて再生するシステムにあって、
前記放送局は、
ユーザ端末がダウンロードするためのソフトウェアを当該ソフトウェアのダウンロードが必要なユーザの認証情報を含めて放送する放送手段を有し、
前記ユーザ端末は、
前記ソフトウェア及び当該ソフトウェアをダウンロードするための認証情報を含む放送を受信する受信手段と、
前記受信手段により受信したソフトウェアを当該ユーザの認証情報を用いてダウンロードするダウンロード手段と
を有することを特徴とするソフトウェア提供システム。
【請求項１１】
請求項１０に記載のソフトウェア提供システムにおいて、
前記ソフトウェアは、アプリケーションソフトウェア、オペレーティングシステムのバージョンアップ用修正ファイル及び当該ユーザ端末のファームウェアのバージョンアップ用修正ファイルのうち少なくとも１つであることを特徴とするソフトウェア提供システム。
【請求項１２】
請求項１０又は請求項１１に記載のソフトウェア提供システムにおいて、
前記放送局は、前記ソフトウェアを無料で提供する場合には前記ユーザ端末が前記認証情報を使わずに当該ソフトウェアをダウンロードできるように当該ソフトウェアを放送する手段を更に有することを特徴とするソフトウェア提供システム。
【請求項１３】
請求項１０に記載のソフトウェア提供システムにおいて、
前記放送手段は、ユーザへダウンロードするためのソフトウェアを当該ソフトウェアのダウンロードが必要なユーザの認証情報を含めるとともに、当該ソフトウェアの提供者への送信先の情報を含めて放送し、
前記ユーザ端末は、前記放送に前記送信先の情報が含まれているか否かを判断する判断手段と、
前記判断手段により前記送信先の情報が含まれていると判断した場合に、前記送信先に所定の情報を送信する送信手段とを更に有することを特徴とするソフトウェア提供システム。
【請求項１４】
請求項１３に記載のソフトウェア提供システムにおいて、
前記送信先の情報は、携帯型電話機のダイヤル番号に関する情報又はネットワーク上の所在場所に関する情報であることを特徴とするソフトウェア提供システム。
【請求項１５】
請求項１３又は請求項１４に記載のソフトウェア提供システムにおいて、
前記所定の情報には、前記ソフトウェアをダウンロードして記憶するための記憶容量に関する情報、前記ソフトウェアのバージョンに関する情報、前記ソフトウェアのダウンロード後の前記ソフトウェアの稼動状況に関する情報及び前記ソフトウェアのダウンロード後のユーザの満足度に関する情報のうち、少なくとも一つが含まれることを特徴とするソフトウェア提供システム。
【請求項１６】
放送局から放送される番組の視聴ライセンスを認証する認証情報を予め記憶する記憶手段と、
前記放送局から、ソフトウェア及び前記認証情報を含む番組放送を受信する手段と、
前記記憶手段により記憶された認証情報と、前記受信手段により受信した認証情報とを照合する照合手段と、
前記照合手段による照合結果に基づき、前記受信手段により受信したソフトウェアをダウンロードするダウンロード手段と
を具備することを特徴とする端末装置。
【請求項１７】
請求項１６に記載の端末装置において、
前記ソフトウェアは、アプリケーションソフトウェア、オペレーティングシステムのバージョンアップ用修正ファイル及び当該端末のファームウェアのバージョンアップ用修正ファイルのうち少なくとも１つであることを特徴とする端末装置。
【請求項１８】
請求項１６に記載の端末装置において、
前記受信手段は、ソフトウェア及び前記認証情報とともに、当該ソフトウェアの提供者への送信先の情報を含む放送を受信するものであり、
前記放送に当該送信先の情報が含まれているか否かを判断する判断手段と、
前記判断手段により、前記送信先の情報が含まれていると判断された場合に、前記送信先に所定の情報を送信する送信手段とを更に具備することを特徴とする端末装置。
【請求項１９】
請求項１８に記載の端末装置において、
前記送信先の情報は、携帯型電話機のダイヤル番号に関する情報又はネットワーク上の所在場所に関する情報であることを特徴とする端末装置。
【請求項２０】
請求項１８又は請求項１９に記載の端末装置において、
前記所定の情報には、前記ソフトウェアをダウンロードして記憶するための記憶容量に関する情報、前記ソフトウェアのバージョンに関する情報、前記ソフトウェアのダウンロード後の前記ソフトウェアの稼動状況に関する情報及び前記ソフトウェアのダウンロード後のユーザの満足度に関する情報のうち、少なくとも一つが含まれることを特徴とする端末装置。
【請求項２１】
放送局から個々のユーザに対する視聴ライセンスを認証する認証情報を含めて番組を放送し、前記認証情報を有する端末装置が受信した番組を、当該認証情報を用いて再生するシステムにあって、
前記認証情報を予め記憶する記憶手段と、
前記放送局から放送される前記認証情報を受信する受信手段と、
前記記憶手段により記憶された前記認証情報と、前記受信手段により受信した認証情報とを照合する照合手段と、
前記照合手段の照合結果に基づき、ソフトウェア又はデータを蓄積したサーバから当該ソフトウェア又はデータをロードするロード手段と
を具備することを特徴とする端末装置。
【請求項２２】
放送局から個々のユーザに対する視聴ライセンスを認証する認証情報を含めて番組を放送し、前記認証情報を有する端末装置が受信した番組を、当該認証情報を用いて再生するシステムにあって、
前記認証情報を予め記憶する記憶手段と、
前記放送局から放送される前記認証情報を受信する受信手段と、
前記記憶手段により記憶された前記認証情報と、前記受信手段により受信した認証情報とを照合する照合手段と、
前記照合手段の照合結果に基づき、ソフトウェア又はデータを記憶したリムーバブルメディアから当該ソフトウェア又はデータをロードするロード手段と
を具備することを特徴とする端末装置。
【請求項２３】
請求項２１又は請求項２２に記載の端末装置において、
前記ロード手段は、前記ソフトウェア又はデータを前記端末装置にロードした後、更に情報機器にロードさせ、当該ソフトウェア又はデータを前記情報機器内部の記憶装置に記憶させることを特徴とする端末装置。
【発明の詳細な説明】
【技術分野】
【０００１】
本発明は、放送局とユーザ側の端末が通信することが可能なシステムにおいて、端末がソフトウェアをダウンロードし、又はソフトウェアをバージョンアップすることができるソフトウェア提供方法、ソフトウェア提供システム及び端末装置に関する。
【背景技術】
【０００２】
従来、ユーザがＰＣ（Personal Computer）等の電子機器にソフトウェアをダウンロードする場合には、ユーザが店頭でＣＤ−ＲＯＭ（Compact Disc Read Only Memory）等の記録媒体を購入して、当該記録媒体によりにインストールしたり、ソフトウェアベンダがインターネット経由で契約ユーザにソフトウェアをダウンロードさせたりする方法が採られている。また、インストール後のソフトウェアの機能を強化したりソフトウェアの不具合を修正したりする場合には、ソフトウェアベンダがバージョンアップ用のファイルを格納したＣＤ−ＲＯＭ等の記録媒体を個々のユーザに送付したり、インターネット経由で契約ユーザにバージョンアップ用のファイルをダウンロードさせたりする方法が採られている。（例えば、特許文献１参照）。  
【特許文献１】特開２００２−０９９４７６号公報（図１等）
【発明の開示】
【発明が解決しようとする課題】
【０００３】
しかしながら、上記記録媒体による方法では媒体そのものの費用のみならず流通に時間を要し、流通チャネルにおける在庫管理（バージョン管理）の問題も生じる。一方インターネットによる方法では、ユーザとソフトウェアベンダとの間で、少なくとも双方向の情報の送受信が必要であるため、その通信に時間を要し、ユーザのインターネット環境がブロードバンドでない場合等にはダウンロード時間も大幅に増加する。また、インターネット経由の場合には、ウィルスが混入する危険性もある。更に、ソフトウェアを購入してもユーザ登録をしない場合もあるため、ソフトウェアベンダがそのソフトウェアをバージョンアップさせようとしてもその対象者を特定できないという問題もある。
【０００４】
また、ユーザが入手しようとするバージョンアップ用のファイルが本当にユーザの機器に必要なものであるかの確認は、ユーザ自身がしなければならず、操作に不慣れな場合は誤ってダウンロードすることも多い。更にダウンロード後に当初の予測通りに動作するかの確認はユーザからの電話、ファクシミリ、手紙などによる情報に頼っておりリアルタイム性に欠ける欠点があった。
【０００５】
以上のような事情に鑑み、本発明の目的は、大容量かつ高品質のソフトウェアを安価で高速にダウンロードすることができるソフトウェアウェア提供方法、ソフトウェア提供システム及び端末装置を提供することにある。
【課題を解決するための手段】
【０００６】
上記目的を達成するため、本発明の主たる観点に係るソフトウェア提供方法は、放送局から個々のユーザに対する視聴ライセンスを認証する認証情報を含めて番組を放送し、前記認証情報を有するユーザの端末が受信した番組を当該認証情報を用いて再生するシステムにあって、前記放送局はユーザ端末がダウンロードするためのソフトウェアを当該ソフトウェアのダウンロードが必要なユーザの認証情報を含めて放送し、前記ソフトウェアのダウンロードが必要なユーザは受信したソフトウェアを当該ユーザの認証情報を用いてダウンロードすることを特徴としている。
【０００７】
また、本発明の別の観点に係るソフトウェア提供システムは、放送局から個々のユーザに対する視聴ライセンスを認証する認証情報を含めて番組を放送し、前記認証情報を有するユーザ端末が受信した番組を当該認証情報を用いて再生するシステムにあって、前記放送局は、ユーザ端末がダウンロードするためのソフトウェアを当該ソフトウェアのダウンロードが必要なユーザの認証情報を含めて放送する放送手段を有し、前記ユーザ端末は、前記ソフトウェア及び当該ソフトウェアをダウンロードするための認証情報を含む放送を受信する受信手段と、前記受信手段により受信したソフトウェアを当該ユーザの認証情報を用いてダウンロードするダウンロード手段とを有することを特徴としている。
【０００８】
また、本発明の別の観点に係る端末装置は、放送局から放送される番組の視聴ライセンスを認証する認証情報を予め記憶する記憶手段と、前記放送局から、ソフトウェア及び前記認証情報を含む番組放送を受信する手段と、前記記憶手段により記憶された認証情報と、前記受信手段により受信した認証情報とを照合する照合手段と、前記照合手段による照合結果に基づき前記受信手段により受信したソフトウェアをダウンロードするダウンロード手段とを具備することを特徴としている。
【０００９】
これらの構成によれば、ユーザの視聴ライセンスを認証する認証情報を、ソフトウェアをダウンロードするためのライセンスを認証する認証情報としても利用し、当該認証情報を有するユーザが放送を通じてソフトウェアをダウンロードできることとしたため、インターネット等を介してダウンロードする際に必要な双方向の情報のやり取りが一方向で済み、大容量かつ高品質のソフトウェアを安価で高速にダウンロードすることができる。また、ユーザは認証情報を有していれば受動的に放送を受信するだけでソフトウェアをダウンロードすることができるため、煩雑な作業もいらず、利便性が向上する。更に、放送によりソフトウェアを送信するため、ユーザ端末にウィルスが混入する危険性も無くなる。
【００１０】
ここで、上記のソフトウェアとしては、アプリケーションソフトウェア、オペレーティングシステムのバージョンアップ用修正ファイル又は当該端末のファームウェアのバージョンアップ用修正ファイルなどを挙げることができる。本発明では、様々な種類のソフトウェアを安全にダウンロードすることができる。
【００１１】
上記放送局は、前記ソフトウェアを無料で提供する場合には前記ユーザ端末が前記認証情報を使わずに当該ソフトウェアをダウンロードできるように当該ソフトウェアを放送するようにしてもよい。このような構成によれば、ソフトウェア提供者がユーザにソフトウェアを無料で提供する場合には前記認証情報を必要としないため、認証に要する手間を省くことができ、ユーザはスムーズにソフトウェアをダウンロードすることができる。
【００１２】
上記放送局は、ユーザ端末がダウンロードするためのソフトウェアを当該ソフトウェアのダウンロードが必要なユーザの認証情報を含めるとともに、当該ソフトウェアの提供者への送信先の情報を含めて放送し、前記ユーザ端末は、前記放送に前記送信先の情報が含まれているか否かを判断し、含まれていると判断した場合に、前記送信先に所定の情報を送信するようにしてもよい。このような構成によれば、ユーザ端末は、放送にソフトウェア提供者への送信先の情報が含まれている場合には、ソフトウェア提供者へ所定の情報を送信することとしたため、ユーザはソフトウェアのダウンロードの前後において自己及び自己の端末の情報等をソフトウェア提供者と共有することができ、より確実かつ円滑にソフトウェアをダウンロードすることができる。
【００１３】
ここで、上記の送信先の情報としては、携帯型電話機のダイヤル番号に関する情報又はネットワーク上の所在場所に関する情報を挙げることができる。このような構成によれば、ユーザはソフトウェア提供者の保有する携帯型電話機若しくはソフトウェア提供者が保有するネットワーク上の所在場所へ所定の情報を送信することによりソフトウェア提供者と情報を共有することができ、より確実で円滑なソフトウェアのダウンロードが可能となる。
【００１４】
上記の所定の情報には、前記ソフトウェアをダウンロードして記憶するための記憶容量に関する情報、前記ソフトウェアのバージョンに関する情報、前記ソフトウェアのダウンロード後の前記ソフトウェアの稼動状況に関する情報又は前記ソフトウェアのダウンロード後のユーザの満足度に関する情報を挙げることができる。このような構成によれば、記憶容量に関する情報を送信することで、ユーザはソフトウェアのダウンロードに必要な容量を確実に確保することができ、安心してソフトウェアをダウンロードすることができる。また、利用しているソフトウェアのバージョン情報を送信することで、自己の端末のソフトウェアのバージョンアップの必要性等も知ることができ、必要な場合にはバージョンアップ用修正ファイルをダウンロードすることができる。また、ソフトウェアのダウンロード後の稼動状況に関する情報を送信することで、ダウンロード後に生じた不具合等にもスムーズに対応してもらうことができる。更に、ダウンロード後のユーザの満足度を送信することで、ソフトウェア提供者のサービスの向上にも繋がる。
【００１５】
本発明のソフトウェア提供方法は、放送局から個々のユーザに対する視聴ライセンスを認証する認証情報を含めて番組を放送し、ユーザ端末が受信した番組を当該認証情報を用いて再生可能とするシステムにおいて、前記放送局は、ソフトウェア又はデータを記憶したサーバから前記ソフトウェア又はデータをロードして利用可能とするために必要なユーザの認証情報を前記ユーザ端末に放送し、前記ユーザ端末は、前記放送局から放送された前記ユーザの認証情報に基づいて、前記ソフトウェア又はデータを前記サーバから利用可能にロードすることを特徴としている。
【００１６】
また、本発明の端末装置は、放送局から個々のユーザに対する視聴ライセンスを認証する認証情報を含めて番組を放送し、前記認証情報を有する端末装置が受信した番組を、当該認証情報を用いて再生するシステムにあって、前記認証情報を予め記憶する記憶手段と、前記放送局から放送される前記認証情報を受信する受信手段と、前記記憶手段により記憶された前記認証情報と、前記受信手段により受信した認証情報とを照合する照合手段と、前記照合手段の照合結果に基づき、ソフトウェア又はデータを蓄積したサーバから当該ソフトウェア又はデータをロードするロード手段とを具備することを特徴としている。
ここでデータとは、例えば上述したようなソフトウェアの提供者の情報送信先等のデータであり、より具体的には、携帯型電話機のダイヤル番号に関する情報又はネットワーク上の所在場所に関する情報等である。また、ロードとは、ユーザ端末が上記サーバへアクセスして当該サーバからデータ又はソフトウェアを取得するまでの動作全般を含むものとする。
【００１７】
また、ソフトウェア又はデータが記憶されているサーバは、前記放送局以外の例えばソフトウェア提供者側に存在し、ソフトウェア提供者とユーザ端末がネットワークを通じて通信を行うことができるようになっていてもよい。
【００１８】
本発明のソフトウェア提供方法は、放送局から個々のユーザに対する視聴ライセンスを認証する認証情報を含めて番組を放送し、前記認証情報を有するユーザ端末が受信した番組を当該認証情報を用いて再生するシステムにおいて、前記放送局は、ソフトウェア又はデータを記憶したリムーバブルメディアから前記ソフトウェア又はデータをロードして利用可能とするために必要なユーザの認証情報を前記ユーザ端末に放送し、前記ユーザ端末は、前記放送局から放送された前記ユーザの認証情報に基づいて、前記ソフトウェア又はデータを利用可能にロードすることを特徴としている。
【００１９】
また、本発明の端末装置は、放送局から個々のユーザに対する視聴ライセンスを認証する認証情報を含めて番組を放送し、前記認証情報を有する端末装置が受信した番組を、当該認証情報を用いて再生するシステムにあって、前記認証情報を予め記憶する記憶手段と、前記放送局から放送される前記認証情報を受信する受信手段と、前記記憶手段により記憶された前記認証情報と、前記受信手段により受信した認証情報とを照合する照合手段と、前記照合手段の照合結果に基づき、ソフトウェア又はデータを記憶したリムーバブルメディアから当該ソフトウェア又はデータをロードするロード手段とを具備することを特徴としている。
【００２０】
上記リムーバブルメディアとしては、例えばＣＤ−ＲＯＭ、ＦＤ（Floppy（登録商標） Disk）、ＤＶＤ（Digital Versatile Disk）、ＭＯ（Magneto Optical disk）等の光又は磁気ディスクが挙げられる。当該リムーバブルメディアは、例えばリムーバブルディスクドライブ等の装置を介してロードされる。
【００２１】
また、上記サーバ又はリムーバブルメディアに記憶された前記ソフトウェア又はデータは、前記ユーザ端末にロードされた後更に情報機器にロードされ、当該情報機器内部の記憶装置において記憶されるようになっていてもよい。
【００２２】
当該情報機器としては例えばＰＣ（Personal Computer）やＰＤＡ（Personal Digital Assistance）等が挙げられる。また、上記記憶装置は例えばハードディスクでもよいし、ＤＲＡＭ（Dynamic Random Access Memory）等の主記憶装置やＳＲＡＭ（Static Random Access Memory）等のキャッシュメモリであってもよい。
【発明の効果】
【００２３】
本発明によれば、大容量かつ高品質のソフトウェアを安価で高速にダウンロードすることができるソフトウェア提供方法、ソフトウェア提供システム及び端末装置を提供することができる。
【発明を実施するための最良の形態】
【００２４】
以下、本発明の実施の形態について図面に基づき説明する。
【００２５】
図１は本発明の一実施形態に係るシステムの構成を概略的に示した図である。
【００２６】
同図に示すように、本実施形態においては、放送局１から番組データ等がアップリンクを介して放送衛星２へ送信される。当該番組データ等を受信した放送衛星２は、ディジタル地上波を介して当該番組データ等を地上に送信する。そして、地上のユーザはユーザ端末３によって放送衛星２から送信されたディジタル衛星放送波を受信し、映像及び音声を視聴する。
【００２７】
当該ディジタル衛星放送は、オフィス、家庭等など非移動型受信端末は勿論のこと、車載、携帯等の移動体受信端末に対してＳバンド衛星により全国同報で、音声、デ−タ、画像から成るマルチチャネルサ−ビスを提供するものである。本実施形態においては、少なくとも一つのソフトウェアダウンロード専用チャネルを用いてソフトウェアを放送し、ユーザ端末３にソフトウェアを提供するものとする。
【００２８】
本実施形態においては、ユーザ端末としてＰＣを適用した場合について説明する。
【００２９】
図２は、本発明の一実施形態に係るＰＣ４の構成を示した図である。
【００３０】
同図に示すように、ＰＣ４は、中央処理装置５、主記憶装置６、補助記憶装置７、受信装置８及びＣＡＳ９から構成され、各部はインタフェースを介して接続されている。
【００３１】
中央処理装置５は、インタフェースを介して各部間の情報のやりとりを制御するとともに、補助記憶装置７を通じて主記憶装置６へ読み出されたソフトウェアを逐次読み出し、実行する。
【００３２】
主記憶装置６は、例えばＤＲＡＭ等からなる高速な読み書きが可能なメモリである。補助記憶装置７は、放送局１から放送されるソフトウェア、各種のプログラムやデータなどを固定的に格納した不揮発性のメモリである。
【００３３】
受信装置８は、放送局１からの放送を放送衛星２を介して受信する装置で、主としてアンテナとチューナ（図示せず）により構成される。
【００３４】
ＣＡＳ（Conditional Access System）９は、放送信号をスクランブル化することで、有料放送の受信を契約したユーザのみ受信できるようにユーザ個別の視聴制御を行うシステムである。契約者の判別は、個々の契約ユーザに配布されるＣＡＳカードに記憶された認証番号により行う。ユーザは、受信契約した放送を受信する際には、ＰＣにＣＡＳカードを挿入しておき、ＣＡＳ９は当該ＣＡＳカードに記憶された認証番号を読み取り、更に受信した放送に含まれる認証番号とＣＡＳカードの認証番号とを照合することにより、契約の有無を判断する。ユーザは、ソフトウェアのダウンロードを希望する場合には、ソフトウェアの提供者と契約を行い、ソフトウェアの提供者を通じて、自己のＣＡＳカードの認証番号を放送局１に予め登録してもらう。
【００３５】
なお、本実施形態において、受信装置８及びＣＡＳ９はＰＣ４に内蔵されていてもよいし、図２の１０及び１１で区分けされるように、１０をＰＣ、１１を受信装置及びＣＡＳとして、ＰＣとは独立して存在し、両者間で情報をやり取りできるものであってもよい。
【００３６】
この場合の態様としては、図３（ａ）に示すように、衛星放送を受信して再生することが可能な衛星放送受信端末１２に受信装置８及びＣＡＳ９が内蔵されている場合や、図３（ｂ）に示すように、ＰＣカード１３に受信装置８及びＣＡＳ９が内蔵されている場合が挙げられる。衛星放送受信端末１２は例えばＵＳＢ（Universal Serial Bus）を介してＰＣ４と接続されており、ＰＣカード１３はＰＣ４のＰＣカード用スロットに装着され接続されている。また、図示しないが、ＣＦ（コンパクトフラッシュ（登録商標））カードに受信装置８及びＣＡＳ９の機能を持たせるようにしてもよい。
【００３７】
図４は、本実施形態におけるＰＣ４で動作するハードウェア及びソフトウェアの構成を階層的に示した模式図である。
【００３８】
同図に示すように、ＰＣ４においては、最下位層から順にハードウェア１４、ファームウェア１５、ＯＳ（Operating System）１６、ミドルウェア１７、アプリケーションソフトウェア１８が動作している。
【００３９】
ハードウェア１４は、上述した中央処理装置５や主記憶装置６及び補助記憶装置７のような物理的実体をいう。
【００４０】
ファームウェア１５は、一般にはデバイスドライバやＢＩＯＳ（Basic Input Output System）等をいい、読み出し専用メモリ（ＲＯＭ、Read Only Memory）又は書き換え可能な固定記録（Ｆｌａｓｈメモリ）としてハードウェア１４に内蔵され、ＰＣ４のキーボード、表示装置、通信制御、周辺機器等の動作を司るプログラムである。
【００４１】
ＯＳ１６は、上述した中央処理装置５や主記憶装置６及び補助記憶装置７等のハードウェア１４を管理し、各種のアプリケーションソフトウェア１８に共通な部分の処理を提供する基本ソフトウェアである。
【００４２】
ミドルウェア１７は、アプリケーションソフトウェア１８に対してＯＳ１６よりも高度で具体的な機能を提供するソフトウェアで、ＯＳ１６とアプリケーションソフトウェア１８の中間的な性格を持っている。本実施形態における受信装置８やＣＡＳ９及びこれらのインタフェース等の機能は、通常のＰＣには含まれていないため、追加で組み込む必要があるが、それぞれの機能をばらばらに組み込むと、ファームウェア１５、ＯＳ１６、アプリケーションソフトウェア１８相互のインタフェースが複雑になり、またバグが発生しても原因究明に非常に手間が掛かるようになる。これを防ぐためにミドルウェア１７がそれらの様々な機能を吸収し、その代わりＯＳ１６、アプリケーションソフトウェア１８とのインタフェースを標準化して単純な構成にしている。
【００４３】
アプリケーションソフトウェア１８は、例えば文書や表、データベース作成したり、音楽を再生したりするような、特定の目的を実現するためのソフトウェアである。
【００４４】
このように、本実施形態においては、５つの階層のハードウェア及びソフトウェアがそれぞれの役割を担うことにより、ＰＣ４の動作が複雑になるのを回避している。
【００４５】
次に、以上のように構成されたＰＣ４の動作について説明する。
【００４６】
図５は、本実施形態において受信したソフトウェアがＰＣ４にダウンロードされ、更にインストールされるまでの流れを示すフロー図である。
【００４７】
まず、ＰＣ４の電源が投入される（ＳＴ５０１）と、受信装置８が衛星放送の受信を開始する。そして、受信信号はＣＡＳ９に送られ、ＣＡＳ９が受信信号中に含まれる上記認証情報の照合により、受信契約の有無を判断する（ＳＴ５０２）。契約ユーザであると判断した場合（ＳＴ５０２のＹＥＳ）には、契約ユーザをソフトウェアのダウンロードの対象者として、上記受信信号に含まれるソフトウェアが中央処理装置５へダウンロードされる。中央処理装置５は、当該ソフトウェアがアプリケーションソフトウェア１８か（ＳＴ５０５）、ＯＳ１６のバージョンアップ用修正ファイルか（ＳＴ５０７）、及びファームウェア１５のバージョンアップ用修正ファイルか（ＳＴ５０９）を判別し、判別結果に応じて、それぞれアプリケーションソフトウェア１８のインストール（ＳＴ５０６）、ＯＳ１６のバージョンアップ（ＳＴ５０８）、及びファームウェア１５のバージョンアップ（５０９）が行われる。なお、ＣＡＳ９が契約ユーザでないと判断した場合（ＳＴ５０３のＮＯ）には、通常の無料放送の受信が行われる（ＳＴ５０４）。ＯＳ１６又はファームウェアのバージョンアップの場合には、修正用ファイルのインストール後に再起動するか否かを、ＰＣ４又は上記衛星放送受信端末１２の表示画面を介してユーザに確認し（ＳＴ５１２）、ユーザが再起動を希望する場合（ＳＴ５１２のＹＥＳ）には再起動する（ＳＴ５１３）。再起動を希望しない場合（ＳＴ５１２のＮＯ）及び上記ＳＴ５０５、ＳＴ５０７、ＳＴ５０９において契約ユーザであってかつソフトウェアのダウンロードの対象者でないと判断した場合（例えば既に同一ソフトウェアがダウンロードされていると判断した場合）には、有料放送の通常受信が行われる（ＳＴ５１１）。これらの処理はユーザがＰＣ４の電源を遮断するまで繰り返され（ＳＴ５１４のＮＯ）、ユーザがＰＣ４の電源を遮断した場合（ＳＴ５１４のＹＥＳ）にはインストール処理は終了する。なお、ソフトウェア提供者がソフトウェアのダウンロードを無料で行う場合には、放送局１に認証情報を登録しているユーザ全てをソフトウェアのダウンロードの対象者として設定すればよい。この場合には、ＣＡＳ９による認証情報の照合は不要となるため、認証に要する手間と時間を省くことができる。
【００４８】
以上の動作によれば、ソフトウェアの提供に放送を用いることで、ユーザはインターネット等のネットワークを経由するのに比べ、大容量かつ高品質のソフトウェアを安価で高速にダウンロードすることができる。また、ユーザは認証情報を有していれば受動的に放送を受信するだけでソフトウェアをダウンロードすることができるため、煩雑な作業もいらず、利便性が向上する。また、ソフトウェア提供者にとっても、認証情報を用いることで全てのユーザを把握することができ、ユーザに関する情報の管理が容易になる。
【００４９】
ところで、以上のようなソフトウェアのダウンロード処理をより円滑に進めるためには、放送による一方向の情報送信のみならず、例えばユーザ側からソフトウェア提供者側へユーザ側の情報を送信することが必要な場合もある。
【００５０】
そこで、本発明は、上記実施形態において有する機能のほか、ユーザ端末３からソフトウェア提供者に対して情報を送信するための情報送信手段を有する。以下、上述した実施形態において、情報送信手段を有する場合について説明する。
【００５１】
図６は、ＰＣ４が当該情報通信手段を有する場合の構成を示す図である。上述した実施形態における図２と同様の構成を有する箇所については同一の符号を付し、その機能の説明を省略する。
【００５２】
同図に示すように、ＰＣ４は、中央処理装置５、主記憶装置６、補助記憶装置７、受信装置８及びＣＡＳ９及びそれらのインタフェースに加え、情報送信装置１９及びそのインタフェースで構成される。
【００５３】
当該情報送信装置１９は、例えば携帯電話、ＰＨＳ等の携帯型電話機との通信機能や、光ケーブル、電話線、電灯線及び無線ＬＡＮ等によるインターネット等のネットワークへの接続機能を有する。なお、情報送信装置１９は、ＰＣ４に内蔵されていてもよいし、上述した受信装置８及びＣＡＳ９と同様に、ＰＣ４とは独立して、例えば衛星放送受信端末１２、ＰＣカード１３及びＣＦカード等として存在し、ＰＣ４と接続されるものであってもよい。
【００５４】
放送局１からの放送には、上述したソフトウェア及び認証情報とともに、ソフトウェア提供者への送信先の情報が含まれる。当該送信先の情報としては、ソフトウェア提供者が保有する携帯型電話機のダイヤル番号に関する情報又はソフトウェア提供者が有するネットワーク上の所在場所に関する情報等がある。
【００５５】
次に、ＰＣ４における情報送信装置１９の動作を説明する。図７は、ＰＣ４が情報送信装置１９を有する場合においてソフトウェアがＰＣ４にダウンロードされ、更にインストールされるまでの流れを示すフロー図である。同図においては、情報送信装置１９は携帯型電話機との通信機能を用いて情報を送信するものとする。上述した実施形態における図５と同様のステップについては同一の符号を付し、説明を省略する。
【００５６】
同図に示すように、中央処理装置５は、受信装置８、ＣＡＳ９を介して受信した放送に携帯型電話機のダイヤル番号に関する情報が含まれているか否かを判断し（ＳＴ７０１）、含まれていると判断した場合（ＳＴ７０１のＹＥＳ）には、当該情報を情報送信装置１９へ送る。そして、情報送信装置１９は当該ダイヤル番号へダイヤルし、ソフトウェア提供者の保有する携帯型電話機との通信路を確立する（ＳＴ７０２）。また、ソフトウェアのインストール後に再起動した場合（ＳＴ５１３）に、中央処理装置５は、ダイヤル番号に関する情報が含まれるか否かを判断し（ＳＴ７０３）、含まれていると判断した場合（ＳＴ７０３のＹＥＳ）にも、情報送信装置１９はダイヤル番号へ同様にダイヤルし（ＳＴ７０４）、通信路を確立する。通信路が確立された後は、例えばユーザの入力により、又は自動的に、中央処理装置５から例えばインストールしたソフトウェアの稼動状況等の情報が情報送信装置１９へ送られ、更に当該情報がダイヤルしたソフトウェア提供者の携帯型電話機へ送信される。ソフトウェアの稼動状況の情報とは、例えばソフトウェアが正しくインストールされているか否か、アプリケーションソフトウェア１８のインストールによってＯＳ１６の動作が不安定になっていないか等の情報である。なお、送信される情報としては、他にも、ソフトウェアのインストール前であれば、例えばソフトウェアをダウンロードして記憶するための記憶容量に関する情報やソフトウェアのバージョンに関する情報であってもよいし、ソフトウェアのインストール後であれば、ソフトウェアのダウンロード後のユーザの満足度に関する情報等であってもよい。そして、送信された情報はソフトウェア提供者を介して放送局１へ伝えられ、例えば追加の情報等がユーザに放送される。
【００５７】
また、情報送信装置１９の機能として、光ケーブル、電話線、電灯線及び無線ＬＡＮ等によるインターネット等のネットワークへの接続機能を用いる場合には、上記ＳＴ７０１及びＳＴ７０３において、受信した放送にソフトウェア提供者の有するネットワーク上の所在場所に関する情報が含まれているか否かを判断し、含まれていると判断した場合（ＳＴ７０１及びＳＴ７０３のＹＥＳ）には、上記ＳＴ７０２及びＳＴ７０４において、光ケーブル、電話線、電灯線及び無線ＬＡＮ等を用いて当該ネットワーク上の所在場所へアクセスして通信路を確立するというように、図７を読み替えることができる。通信路を確立した後は、例えばユーザの入力により、又は自動的に、例えばソフトウェア提供者のメールアドレスや、ソフトウェア提供者が運営するＷｅｂサイト等へ上述した情報を送信することができる。
【００５８】
以上の動作によれば、ユーザはソフトウェアのダウンロードの前後において自己及び自己の端末の情報等ソフトウェア提供者に送信することにより、それらの情報をソフトウェア提供者と共有することができ、より確実かつ円滑にソフトウェアをダウンロードすることができる。すなわち、ソフトウェアのダウンロードについては、放送という通信路を用いることで大容量かつ高速な通信を可能とするとともに、ソフトウェア自体の送信以外の比較的容量の小さい情報の送信の通信路として、携帯型電話機との通信機能や、光ケーブル、電話線、電灯線及び無線ＬＡＮ等によるインターネット等のネットワークへの接続機能を補助的に用いることで、情報の送受信作業が極めて効率化されるとともに、ユーザとソフトウェア提供者の意思疎通が図られ、ソフトウェアのダウンロード処理をより円滑に進めることができる。
【００５９】
以上説明したように、上記実施形態によれば、放送局１はＰＣ４がダウンロードするためのソフトウェアを当該ソフトウェアのダウンロードが必要なユーザの認証情報を含めて放送し、前記ソフトウェアのダウンロードが必要なＰＣ４は、受信したソフトウェアを、当該認証情報を用いてダウンロードすることとしたため、大容量かつ高品質のソフトウェアを、煩雑な作業もいらずに安価で高速にダウンロードすることができる。
【００６０】
また、放送局１は、放送に更にソフトウェアの提供者への送信先の情報を含めて放送し、ＰＣ４は、前記放送に前記送信先の情報が含まれているか否かを判断し、含まれていると判断した場合に、前記送信先に所定の情報を送信することとしたため、ソフトウェア提供者と情報を共有することができ、より確実で円滑なソフトウェアのダウンロードが可能となる。
【００６１】
なお、本発明は以上説明した実施の形態には限定されるものではなく、種々の変形が可能である。
【００６２】
例えば、上記実施形態においては、ユーザ端末としてＰＣを適用した例について説明したが、自動改札機等の駅務機器、医療機器、カーナビゲーションシステム等の車載機器、生産用自動機器、自動販売機といったマイクロプロセッサ搭載機器にも同様に適用することができる。
【００６３】
図８は本発明を上記マイクロプロッセッサ搭載機器に適用した場合における、マイクロプロセッサ搭載機器２０の構成を示した図である。同図において、上述した実施形態における図６と同様の構成を有する箇所については同一の符号を付し、その機能の説明を省略する。
【００６４】
同図に示すように、マイクロプロセッサ搭載機器２０は、マイクロプロセッサ２１、被制御装置２２、主記憶装置６、補助記憶装置７、受信装置８及びＣＡＳ９、情報送信装置１９及びそれらのインタフェースで構成される。
【００６５】
マイクロプロセッサ２１は、上述した実施形態における中央処理装置５と同様、インタフェースを介して各部間の情報のやり取りを制御するとともに、補助記憶装置７を通じて主記憶装置６へ読み出されたソフトウェアを逐次読み出し、実行する。
【００６６】
また、被制御装置２２は、上記ソフトウェアによって制御される装置であり、例えば自動改札機における切符搬送装置等を指す。
【００６７】
マイクロプロセッサ搭載機器２０内で動作するソフトウェアとしては、上述したＰＣ４と同様に、ファームウェア１５、ＯＳ１６、アプリケーションソフトウェア１８があり、上述した実施形態と同様の動作で放送局１からソフトウェアが受信され、アプリケーションソフトウェア１８のインストール、ファームウェア１５及びＯＳ１６バージョンアップが可能となる。また同様に、情報送信装置１９によりソフトウェア提供者に対して情報を送信することもできる。
【００６８】
更に、また別の実施形態としてユーザ端末に、ゲーム端末、電子ブック、電子新聞、映画や音楽の再生装置等の映像・音声・テキスト操作用機器を適用することも可能である。
【００６９】
図９は、本発明を上記映像・音声・テキスト操作用機器に適用した場合における、映像・音声・テキスト操作用機器２３の構成を示した図である。同図において、上述した実施形態における図６と同様の構成を有する箇所については同一の符号を付し、その機能の説明を省略する。
【００７０】
同図に示すように、映像・音声・テキスト操作用機器２３は、マイクロプロセッサ２１、マルチメディア端末ハードウェア（以下、ＭＭハードウェアという。）２４、主記憶装置６、補助記憶装置７、受信装置８及びＣＡＳ９、情報送信装置１９及びそれらのインタフェースで構成される。
【００７１】
ＭＭハードウェア２４は、映像・音声・テキストを操作する装置であり、マイクロプロセッサ内で実行されるソフトウェアによって制御される。
【００７２】
映像・音声・テキスト操作用機器２３内で動作するソフトウェアとしても、上述したＰＣ４及びマイクロプロセッサ搭載機器２０と同様に、ファームウェア１５、ＯＳ１６、アプリケーションソフトウェア１８があり、上述した実施形態と同様の動作で放送局１からソフトウェアが受信され、アプリケーションソフトウェア１８のインストール、ファームウェア１５及びＯＳ１６バージョンアップが可能となる。また同様に、情報送信装置１９によりソフトウェア提供者に対して情報を送信することもできる。
【００７３】
以上の実施形態は、衛星放送を例にして説明したが、地上波ディジタル放送、或いはインターネット上のバーチャルな放送システムにおいても本発明を適用することが可能である。
【００７４】
また、上記の実施形態では、ソフトウェアダウンロード専用チャネルを用いてソフトウェアを放送するものであったが、例えば制御チャネルを用いてソフトウェアを放送するようにしても構わない。制御チャネルはすべてのユーザが常にアクセスする機会があるので、端末側のユーザが専用チャンネルをアクセスすることなくユーザに対してユーザにとって受動的にこれらのソフトウェアを提供することができる。この場合に、特に、オペレーティングシステムのバージョンアップ用修正ファイルや端末のファームウェアのバージョンアップ用修正ファイルを当該制御チャネルを用いて提供するのが好ましい形態である。制御チャネルは容量が小さく、これらのソフトウェアも比較的サイズが小さいからである。従って、この場合には、比較的サイズの大きいアプリケーションソフトやＯＳ自体については、ソフトウェアダウンロード専用チャネルを用いた方が好ましい。更に、制御チャネルを用いて特定のユーザに対してソフトウェアのダウンロードを促すようにしてもよい。この場合に、ユーザの操作によってソフトウェアダウンロード専用チャネルにアクセスさせるようにしてもよいし、自動的にソフトウェアダウンロード専用チャネルにアクセスするように誘導してもよい。
【００７５】
更に、これまで述べた実施形態では、ソフトウェア及びソフトウェア提供者への送信先の情報と認証情報とを両方放送することによりユーザ端末におけるソフトウェアのインストールや情報の送信を実現していたが、放送局１からは認証情報のみ放送し、ソフトウェア及びソフトウェア提供者への送信先の情報は別の場所又は媒体から取得するようにしてもよい。
【００７６】
このような態様としては、例えば上記ソフトウェア及びソフトウェア提供者への送信先への情報等のデータはソフトウェア提供者側のサーバに記憶されており、放送局からは認証情報のみを放送し、ソフトウェア及びソフトウェア提供者への送信先の情報は当該サーバからロードするような場合が考えられる。
【００７７】
図１０は、このような場合のシステムの構成を概略的に示した図である。同図において、上述した実施形態における図１と同様の構成を有する箇所については同一の符号を付してある。同図に示すように、上記ユーザ端末３はまず放送局１から放送される認証情報を受信し、当該認証情報と自己の認証情報とを照合して、合致した場合にソフトウェア提供者側のサーバ２５へ例えばインターネット等のネットワーク２６を介してアクセスし、当該サーバ２５からソフトウェア及びソフトウェア提供者への送信先の情報をロードする。その後は上述した実施形態と同様の動作によりソフトウェアがインストールされ、若しくはソフトウェアのバージョンアップが可能となる。また、同様に、情報送信装置１９によりソフトウェア提供者に対して情報を送信することもできる。
【００７８】
また、別の態様として、ユーザ端末３は例えば放送局１からは認証情報のみを受信し、ソフトウェア及びソフトウェア提供者への送信先の情報は、それらを記憶したＣＤ−ＲＯＭやＦＤ等のリムーバブルメディアによってロードするようなものであってもよい。
【００７９】
図１１は、ユーザ端末３がＣＤ−ＲＯＭによってロードする場合を示した図である。同図に示すように、ユーザ端末３は、まず放送局１から認証情報を受信し、認証情報の照合により合致した場合には、ソフトウェア及びソフトウェア提供者への送信先の情報等のデータを記憶したＣＤ−ＲＯＭ２７をＣＤ−ＲＯＭドライブ２８へ挿入して、当該ＣＤ−ＲＯＭドライブ２８がＣＤ−ＲＯＭ２７の上記記憶内容をロードする。その後は上述した実施形態と同様の動作でソフトウェアのインストールやバージョンアップ及び情報の送信が可能となる。
【００８０】
この場合、ＣＤ−ＲＯＭドライブ２８等のリムーバブルディスクドライブは、ユーザ端末３が内蔵していてもよいし、ユーザ端末３に例えばＵＳＢ等で接続されて両者間で通信可能な状態になっていてもよい。
【００８１】
また、当該ＣＤ−ＲＯＭドライブ２８等のリムーバブルディスクドライブ自体が上記受信装置８及びＣＡＳ９の機能も有し、当該リムーバブルディスクドライブが、ディスク記憶内容のロードだけでなく、その前段階における認証情報の照合も行うようにしてもよい。
【００８２】
更に、ユーザ端末３がＰＣやＰＤＡ等の情報機器でない場合には、ユーザ端末３がソフトウェア等をロードした後、更にＵＳＢやインターネット等のネットワークを介して上記情報機器へロードさせ、当該情報機器内部の記憶装置に記憶させるような態様であってもよい。
【図面の簡単な説明】
【００８３】
【図１】本発明の一実施形態に係るシステムの構成を概略的に示した図である。
【図２】本発明の一実施形態に係るＰＣ４の構成を示した図である。
【図３】本発明の一実施形態における受信装置８及びＣＡＳ９の態様を説明する図である。
【図４】本発明の一実施形態において、ＰＣ４で動作するハードウェア及びソフトウェアの構成を階層的に示した模式図である。
【図５】本発明の一実施形態において、受信したソフトウェアがＰＣ４にダウンロードされ、更にインストールされるまでの流れを示すフロー図である。
【図６】ＰＣ４が情報通信手段を有する場合の構成を示す図である。
【図７】ＰＣ４が情報送信装置１９を有する場合においてソフトウェアがＰＣ４にダウンロードされ、更にインストールされるまでの流れを示すフロー図である。
【図８】本発明を上記マイクロプロッセッサ搭載機器に適用した場合における、マイクロプロセッサ搭載機器２０の構成を示した図である。
【図９】本発明を上記映像・音声・テキスト操作用機器に適用した場合における、映像・音声・テキスト操作用機器２３の構成を示した図である。
【図１０】本発明の他の実施形態に係るシステムの構成を概略的に示した図である。
【図１１】ユーザ端末３がＣＤ−ＲＯＭ２７によってロードする場合を示した図である。
【符号の説明】
【００８４】
１…放送局
２…放送衛星
３…ユーザ端末
４…ＰＣ
５…中央処理装置
６…主記憶装置
７…補助記憶装置
８…受信装置
９…ＣＡＳ
１２…衛星放送受信端末
１３…ＰＣカード
１４…ハードウェア
１５…ファームウェア
１６…ＯＳ
１７…ミドルウェア
１８…アプリケーションソフトウェア
１９…情報送信装置
２０…マイクロプロセッサ搭載機器
２１…マイクロプロセッサ
２２…被制御装置
２３…映像・音声・テキスト操作用機器
２４…ＭＭハードウェア
２５…サーバ
２６…ネットワーク
２７…ＣＤ−ＲＯＭ
２８…ＣＤ−ＲＯＭドライブ
【図１】
2005115781.tif 000003
【図２】
2005115781.tif 000004
【図３】
2005115781.tif 000005
【図４】
2005115781.tif 000006
【図５】
2005115781.tif 000007
【図６】
2005115781.tif 000008
【図７】
2005115781.tif 000009
【図８】
2005115781.tif 000010
【図９】
2005115781.tif 000011
【図１０】
2005115781.tif 000012
【図１１】
2005115781.tif 000013
【手続補正書】
【提出日】平成16年9月29日(2004.9.29)
【手続補正１】
【補正対象書類名】特許請求の範囲
【補正対象項目名】全文
【補正方法】変更
【補正の内容】
【特許請求の範囲】
【請求項１】
放送局から個々のユーザの視聴ライセンスを認証する認証情報を含めて番組を放送し、前記認証情報を有するユーザの端末が受信した番組を当該認証情報を用いて再生するシステムにあって、
前記放送局は、ユーザ端末がダウンロードするためのソフトウェアを当該ソフトウェアのダウンロードが必要なユーザの認証情報を含めて放送し、
前記ソフトウェアのダウンロードが必要なユーザ端末は、受信したソフトウェアを当該ユーザの認証情報を用いてダウンロードすることを特徴とするソフトウェア提供方法。
【請求項２】
請求項１に記載のソフトウェア提供方法において、
前記ソフトウェアは、アプリケーションソフトウェア、オペレーティングシステムのバージョンアップ用修正ファイル及び当該端末のファームウェアのバージョンアップ用修正ファイルのうち少なくとも１つであることを特徴とするソフトウェア提供方法。
【請求項３】
請求項１又は請求項２に記載のソフトウェア提供方法において、
前記放送局は、前記ソフトウェアを無料で提供する場合には前記ユーザ端末が前記認証情報を使わずに当該ソフトウェアをダウンロードできるように当該ソフトウェアを放送することを特徴とするソフトウェアの提供方法。
【請求項４】
請求項１に記載のソフトウェア提供方法において、
前記放送局は、ユーザ端末がダウンロードするためのソフトウェアを当該ソフトウェアのダウンロードが必要なユーザの認証情報を含めるとともに、当該ソフトウェアの提供者への送信先の情報を含めて放送し、
前記ユーザ端末は、前記放送に前記送信先の情報が含まれているか否かを判断し、含まれていると判断した場合に、前記送信先に所定の情報を送信することを特徴とするソフトウェア提供方法。
【請求項５】
請求項４に記載のソフトウェア提供方法において、
前記送信先の情報は、携帯型電話機のダイヤル番号に関する情報又はネットワーク上の所在場所に関する情報であることを特徴とするソフトウェア提供方法。
【請求項６】
請求項４又は請求項５に記載のソフトウェア提供方法において、
前記所定の情報には、前記ソフトウェアをダウンロードして記憶するための記憶容量に関する情報、前記ソフトウェアのバージョンに関する情報、前記ソフトウェアのダウンロード後の前記ソフトウェアの稼動状況に関する情報及び前記ソフトウェアのダウンロード後のユーザの満足度に関する情報のうち、少なくとも一つが含まれることを特徴とするソフトウェア提供方法。
【請求項７】
放送局から個々のユーザの視聴ライセンスを認証する認証情報を含めて番組を放送し、前記認証情報を有するユーザの端末が受信した番組を当該認証情報を用いて再生するシステムにあって、
前記放送局は、ソフトウェア又はデータを記憶したサーバから前記ソフトウェア又はデータをロードして利用可能とするために必要なユーザの認証情報を前記ユーザ端末に放送し、
前記ユーザ端末は、前記放送局から放送された前記ユーザの認証情報に基づいて、前記ソフトウェア又はデータを前記サーバから利用可能にロードすることを特徴とするソフトウェア提供方法。
【請求項８】
放送局から個々のユーザの視聴ライセンスを認証する認証情報を含めて番組を放送し、前記認証情報を有するユーザの端末が受信した番組を当該認証情報を用いて再生するシステムにあって、
前記放送局は、ソフトウェア又はデータを記憶したサーバから前記ソフトウェア又はデータをロードして利用可能とするために必要なユーザの認証情報を前記ユーザ端末に放送し、
前記ユーザ端末において予め記憶された認証情報と前記ユーザ端末において受信された認証情報とが合致した場合に、前記ユーザ端末に接続された情報機器は、前記ソフトウェア又はデータを前記サーバからロードし、当該情報機器内部の記憶装置へ記憶することを特徴とするソフトウェア提供方法。
【請求項９】
放送局から個々のユーザの視聴ライセンスを認証する認証情報を含めて番組を放送し、前記認証情報を有するユーザの端末が受信した番組を当該認証情報を用いて再生するシステムにあって、
前記放送局は、ソフトウェア又はデータを記憶したリムーバブルメディアから前記ソフトウェア又はデータをロードして利用可能とするために必要なユーザの認証情報を前記ユーザ端末に放送し、
前記ユーザ端末は、前記放送局から放送された前記ユーザの認証情報に基づいて、前記ソフトウェア又はデータを前記リムーバブルメディアから利用可能にロードすることを特徴とするソフトウェア提供方法。
【請求項１０】
放送局から個々のユーザの視聴ライセンスを認証する認証情報を含めて番組を放送し、前記認証情報を有するユーザの端末が受信した番組を当該認証情報を用いて再生するシステムにあって、
前記放送局は、ソフトウェア又はデータを記憶したリムーバブルメディアから前記ソフトウェア又はデータをロードして利用可能とするために必要なユーザの認証情報を前記ユーザ端末に放送し、
前記ユーザ端末において予め記憶された認証情報と前記ユーザ端末において受信された認証情報とが合致した場合に、前記ユーザ端末に接続された情報機器は、前記ソフトウェア又はデータを前記リムーバブルメディアからロードし、当該情報機器内部の記憶装置へ記憶することを特徴とするソフトウェア提供方法。
【請求項１１】
放送局から個々のユーザの視聴ライセンスを認証する認証情報を含めて番組を放送し、前記認証情報を有するユーザの端末が受信した番組を当該認証情報を用いて再生するシステムであって、
前記放送局は、
ユーザ端末がダウンロードするためのソフトウェアを当該ソフトウェアのダウンロードが必要なユーザの認証情報を含めて放送する放送手段を有し、
前記ユーザ端末は、
前記ソフトウェア及び当該ソフトウェアをダウンロードするための認証情報を含む放送を受信する受信手段と、
前記受信手段により受信したソフトウェアを当該ユーザの認証情報を用いてダウンロードするダウンロード手段と
を有することを特徴とするソフトウェア提供システム。
【請求項１２】
請求項１１に記載のソフトウェア提供システムにおいて、
前記ソフトウェアは、アプリケーションソフトウェア、オペレーティングシステムのバージョンアップ用修正ファイル及び当該ユーザ端末のファームウェアのバージョンアップ用修正ファイルのうち少なくとも１つであることを特徴とするソフトウェア提供システム。
【請求項１３】
請求項１１又は請求項１２に記載のソフトウェア提供システムにおいて、
前記放送局は、前記ソフトウェアを無料で提供する場合には前記ユーザ端末が前記認証情報を使わずに当該ソフトウェアをダウンロードできるように当該ソフトウェアを放送する手段を更に有することを特徴とするソフトウェア提供システム。
【請求項１４】
請求項１１に記載のソフトウェア提供システムにおいて、
前記放送手段は、ユーザへダウンロードするためのソフトウェアを当該ソフトウェアのダウンロードが必要なユーザの認証情報を含めるとともに、当該ソフトウェアの提供者への送信先の情報を含めて放送し、
前記ユーザ端末は、前記放送に前記送信先の情報が含まれているか否かを判断する判断手段と、
前記判断手段により前記送信先の情報が含まれていると判断した場合に、前記送信先に所定の情報を送信する送信手段とを更に有することを特徴とするソフトウェア提供システム。
【請求項１５】
請求項１４に記載のソフトウェア提供システムにおいて、
前記送信先の情報は、携帯型電話機のダイヤル番号に関する情報又はネットワーク上の所在場所に関する情報であることを特徴とするソフトウェア提供システム。
【請求項１６】
請求項１４又は請求項１５に記載のソフトウェア提供システムにおいて、
前記所定の情報には、前記ソフトウェアをダウンロードして記憶するための記憶容量に関する情報、前記ソフトウェアのバージョンに関する情報、前記ソフトウェアのダウンロード後の前記ソフトウェアの稼動状況に関する情報及び前記ソフトウェアのダウンロード後のユーザの満足度に関する情報のうち、少なくとも一つが含まれることを特徴とするソフトウェア提供システム。
【請求項１７】
放送局から個々のユーザの視聴ライセンスを認証する認証情報を含めて放送された番組を受信し、当該認証情報を用いて前記番組を再生可能な端末装置であって、
前記認証情報を予め記憶する記憶手段と、
前記放送局から、ソフトウェア及び前記認証情報を含む番組放送を受信する受信手段と、
前記記憶手段により記憶された認証情報と、前記受信手段により受信した認証情報とを照合する照合手段と、
前記照合手段による照合結果に基づき、前記受信手段により受信したソフトウェアをダウンロードするダウンロード手段と
を具備することを特徴とする端末装置。
【請求項１８】
請求項１７に記載の端末装置において、
前記ソフトウェアは、アプリケーションソフトウェア、オペレーティングシステムのバージョンアップ用修正ファイル及び当該端末のファームウェアのバージョンアップ用修正ファイルのうち少なくとも１つであることを特徴とする端末装置。
【請求項１９】
請求項１７に記載の端末装置において、
前記受信手段は、ソフトウェア及び前記認証情報とともに、当該ソフトウェアの提供者への送信先の情報を含む放送を受信するものであり、
当該端末装置は、
前記放送に当該送信先の情報が含まれているか否かを判断する判断手段と、
前記判断手段により、前記送信先の情報が含まれていると判断された場合に、前記送信先に所定の情報を送信する送信手段とを更に具備することを特徴とする端末装置。
【請求項２０】
請求項１９に記載の端末装置において、
前記送信先の情報は、携帯型電話機のダイヤル番号に関する情報又はネットワーク上の所在場所に関する情報であることを特徴とする端末装置。
【請求項２１】
請求項１９又は請求項２０に記載の端末装置において、
前記所定の情報には、前記ソフトウェアをダウンロードして記憶するための記憶容量に関する情報、前記ソフトウェアのバージョンに関する情報、前記ソフトウェアのダウンロード後の前記ソフトウェアの稼動状況に関する情報及び前記ソフトウェアのダウンロード後のユーザの満足度に関する情報のうち、少なくとも一つが含まれることを特徴とする端末装置。
【請求項２２】
放送局から個々のユーザの視聴ライセンスを認証する認証情報を含めて放送された番組を受信し、当該認証情報を用いて前記番組を再生可能な端末装置であって、
前記認証情報を予め記憶する記憶手段と、
前記放送局から放送される前記認証情報を受信する受信手段と、
前記記憶手段により記憶された前記認証情報と、前記受信手段により受信した認証情報とを照合する照合手段と、
前記照合手段の照合結果に基づき、ソフトウェア又はデータを蓄積したサーバから当該ソフトウェア又はデータをロードするロード手段と
を具備することを特徴とする端末装置。
【請求項２３】
放送局から個々のユーザの視聴ライセンスを認証する認証情報を含めて放送された番組を受信し、当該認証情報を用いて前記番組を再生可能な端末装置であって、
前記認証情報を予め記憶する記憶手段と、
前記放送局から放送される前記認証情報を受信する受信手段と、
前記記憶手段により記憶された前記認証情報と、前記受信手段により受信した認証情報とを照合する照合手段と、
前記照合手段の照合結果に基づき、ソフトウェア又はデータを記憶したリムーバブルメディアから当該ソフトウェア又はデータをロードするロード手段と
を具備することを特徴とする端末装置。
【請求項２４】
放送局から個々のユーザの視聴ライセンスを認証する認証情報を含めて放送された番組を受信し、当該認証情報を用いて前記番組を再生可能な端末装置がソフトウェアを取得する方法であって、
前記認証情報を予め記憶し、
前記放送局から、ソフトウェア及び前記認証情報を含む番組放送を受信し、
前記記憶手段により記憶された認証情報と、前記受信手段により受信した認証情報とを照合し、
前記照合手段による照合結果に基づき、前記受信手段により受信したソフトウェアをダウンロードする
ことを特徴とするソフトウェア取得方法。
【請求項２５】
放送局から個々のユーザの視聴ライセンスを認証する認証情報を含めて放送された番組を受信し、当該認証情報を用いて前記番組を再生可能な端末装置がソフトウェアを取得する方法であって、
前記認証情報を予め記憶し、
前記放送局から放送される前記認証情報を受信し、
前記記憶手段により記憶された前記認証情報と、前記受信手段により受信した認証情報とを照合し、
前記照合手段の照合結果に基づき、ソフトウェア又はデータを蓄積したサーバから当該ソフトウェア又はデータをロードする
ことを特徴とするソフトウェア取得方法。
【請求項２６】
放送局から個々のユーザの視聴ライセンスを認証する認証情報を含めて放送された番組を受信し、当該認証情報を用いて前記番組を再生可能な端末装置がソフトウェアを取得する方法であって、
前記認証情報を予め記憶し、
前記放送局から放送される前記認証情報を受信し、
前記記憶手段により記憶された前記認証情報と、前記受信手段により受信した認証情報とを照合し、
前記照合手段の照合結果に基づき、ソフトウェア又はデータを記憶したリムーバブルメディアから当該ソフトウェア又はデータをロードする
ことを特徴とするソフトウェア取得方法。
【手続補正３】
【補正対象書類名】明細書
【補正対象項目名】０００１
【補正方法】変更
【補正の内容】
【０００１】
本発明は、放送局とユーザ側の端末が通信することが可能なシステムにおいて、端末がソフトウェアをダウンロードし、又はソフトウェアをバージョンアップすることができるソフトウェア提供方法、ソフトウェア提供システム、端末装置及びソフトウェア取得方法に関する。
【手続補正４】
【補正対象書類名】明細書
【補正対象項目名】０００６
【補正方法】変更
【補正の内容】
【０００６】
上記目的を達成するため、本発明の主たる観点に係るソフトウェア提供方法は、放送局から個々のユーザの視聴ライセンスを認証する認証情報を含めて番組を放送し、前記認証情報を有するユーザの端末が受信した番組を当該認証情報を用いて再生するシステムにあって、前記放送局は、ユーザ端末がダウンロードするためのソフトウェアを当該ソフトウェアのダウンロードが必要なユーザの認証情報を含めて放送し、前記ソフトウェアのダウンロードが必要なユーザ端末は、受信したソフトウェアを当該ユーザの認証情報を用いてダウンロードすることを特徴としている。
【手続補正５】
【補正対象書類名】明細書
【補正対象項目名】０００７
【補正方法】変更
【補正の内容】
【０００７】
また、本発明の別の観点に係るソフトウェア提供システムは、放送局から個々のユーザの視聴ライセンスを認証する認証情報を含めて番組を放送し、前記認証情報を有するユーザの端末が受信した番組を当該認証情報を用いて再生するシステムであって、前記放送局は、ユーザ端末がダウンロードするためのソフトウェアを当該ソフトウェアのダウンロードが必要なユーザの認証情報を含めて放送する放送手段を有し、前記ユーザ端末は、前記ソフトウェア及び当該ソフトウェアをダウンロードするための認証情報を含む放送を受信する受信手段と、前記受信手段により受信したソフトウェアを当該ユーザの認証情報を用いてダウンロードするダウンロード手段とを有することを特徴としている。
【手続補正６】
【補正対象書類名】明細書
【補正対象項目名】０００８
【補正方法】変更
【補正の内容】
【０００８】
また、本発明の別の観点に係る端末装置は、放送局から個々のユーザの視聴ライセンスを認証する認証情報を含めて放送された番組を受信し、当該認証情報を用いて前記番組を再生可能な端末装置であって、前記認証情報を予め記憶する記憶手段と、前記放送局から、ソフトウェア及び前記認証情報を含む番組放送を受信する受信手段と、前記記憶手段により記憶された認証情報と、前記受信手段により受信した認証情報とを照合する照合手段と、前記照合手段による照合結果に基づき、前記受信手段により受信したソフトウェアをダウンロードするダウンロード手段とを具備することを特徴としている。
【手続補正７】
【補正対象書類名】明細書
【補正対象項目名】００１３
【補正方法】変更
【補正の内容】
【００１３】
ここで、上記の送信先の情報としては、携帯型電話機のダイヤル番号に関する情報又はネットワーク上の所在場所（ＵＲＬ；Uniform Resource Locatorやメールアドレス）に関する情報を挙げることができる。このような構成によれば、ユーザはソフトウェア提供者の保有する携帯型電話機若しくはソフトウェア提供者が保有するＷｅｂサーバやメールサーバの所在場所へ所定の情報を送信することによりソフトウェア提供者と情報を共有することができ、より確実で円滑なソフトウェアのダウンロードが可能となる。
【手続補正８】
【補正対象書類名】明細書
【補正対象項目名】００１５
【補正方法】変更
【補正の内容】
【００１５】
本発明のソフトウェア提供方法は、放送局から個々のユーザの視聴ライセンスを認証する認証情報を含めて番組を放送し、前記認証情報を有するユーザの端末が受信した番組を当該認証情報を用いて再生するシステムにあって、前記放送局は、ソフトウェア又はデータを記憶したサーバから前記ソフトウェア又はデータをロードして利用可能とするために必要なユーザの認証情報を前記ユーザ端末に放送し、前記ユーザ端末は、前記放送局から放送された前記ユーザの認証情報に基づいて、前記ソフトウェア又はデータを前記サーバから利用可能にロードすることを特徴としている。
【手続補正９】
【補正対象書類名】明細書
【補正対象項目名】００１６
【補正方法】変更
【補正の内容】
【００１６】
また、本発明の端末装置は、放送局から個々のユーザの視聴ライセンスを認証する認証情報を含めて放送された番組を受信し、当該認証情報を用いて前記番組を再生可能な端末装置であって、前記認証情報を予め記憶する記憶手段と、前記放送局から放送される前記認証情報を受信する受信手段と、前記記憶手段により記憶された前記認証情報と、前記受信手段により受信した認証情報とを照合する照合手段と、前記照合手段の照合結果に基づき、ソフトウェア又はデータを蓄積したサーバから当該ソフトウェア又はデータをロードするロード手段とを具備することを特徴としている。
【手続補正１０】
【補正対象書類名】明細書
【補正対象項目名】００１７
【補正方法】変更
【補正の内容】
【００１７】
ここでデータとは、例えば上述したようなソフトウェアの提供者の情報送信先等のデータであり、より具体的には、携帯型電話機のダイヤル番号に関する情報又はネットワーク上の所在場所に関する情報等である。また、ロードとは、ユーザ端末が上記サーバへアクセスして当該サーバからデータ又はソフトウェアを取得するまでの動作全般を含むものとする。また、ソフトウェア又はデータが記憶されているサーバは、前記放送局以外の例えばソフトウェア提供者側に存在し、ソフトウェア提供者のサーバとユーザ端末がネットワークを通じて通信を行うことができるようになっていてもよい。
【手続補正１１】
【補正対象書類名】明細書
【補正対象項目名】００１８
【補正方法】変更
【補正の内容】
【００１８】
また、上記放送局が、ソフトウェア又はデータを記憶したサーバから前記ソフトウェア又はデータをロードして利用可能とするために必要なユーザの認証情報を前記ユーザ端末に放送した後、前記ユーザ端末において予め記憶された認証情報と前記ユーザ端末において受信された認証情報とが合致した場合に、前記ユーザ端末に接続された情報機器が、前記ソフトウェア又はデータを前記サーバからロードし、当該情報機器内部の記憶装置へ記憶するようにしてもよい。当該情報機器としては例えばＰＣ（Personal Computer）やＰＤＡ（Personal Digital Assistance）、携帯電話等が挙げられる。また、上記記憶装置は例えばハードディスクでもよいし、ＤＲＡＭ（Dynamic Random Access Memory）等の主記憶装置やＳＲＡＭ（Static Random Access Memory）等のキャッシュメモリであってもよい。
【手続補正１２】
【補正対象書類名】明細書
【補正対象項目名】００１９
【補正方法】変更
【補正の内容】
【００１９】
本発明の別の観点に係るソフトウェア提供方法は、放送局から個々のユーザの視聴ライセンスを認証する認証情報を含めて番組を放送し、前記認証情報を有するユーザの端末が受信した番組を当該認証情報を用いて再生するシステムにあって、前記放送局は、ソフトウェア又はデータを記憶したリムーバブルメディアから前記ソフトウェア又はデータをロードして利用可能とするために必要なユーザの認証情報を前記ユーザ端末に放送し、前記ユーザ端末は、前記放送局から放送された前記ユーザの認証情報に基づいて、前記ソフトウェア又はデータを前記リムーバブルメディアから利用可能にロードすることを特徴としている。
また、本発明の別の観点に係る端末装置は、放送局から個々のユーザの視聴ライセンスを認証する認証情報を含めて放送された番組を受信し、当該認証情報を用いて前記番組を再生可能な端末装置であって、前記認証情報を予め記憶する記憶手段と、前記放送局から放送される前記認証情報を受信する受信手段と、前記記憶手段により記憶された前記認証情報と、前記受信手段により受信した認証情報とを照合する照合手段と、前記照合手段の照合結果に基づき、ソフトウェア又はデータを記憶したリムーバブルメディアから当該ソフトウェア又はデータをロードするロード手段とを具備することを特徴としている。
【手続補正１３】
【補正対象書類名】明細書
【補正対象項目名】００２０
【補正方法】変更
【補正の内容】
【００２０】
上記リムーバブルメディアとしては、例えばＣＤ−ＲＯＭ、ＦＤ（Floppy（登録商標） Disk）、ＤＶＤ（Digital Versatile Disk）、ＭＯ（Magneto Optical disk）等の光又は磁気ディスクが挙げられる。当該リムーバルメディアに記憶されたソフトウェア又はデータは、例えばリムーバブルディスクドライブ等の装置を介してロードされる。
【手続補正１４】
【補正対象書類名】明細書
【補正対象項目名】００２１
【補正方法】変更
【補正の内容】
【００２１】
また、上記放送局が、ソフトウェア又はデータを記憶したリムーバブルメディアから前記ソフトウェア又はデータをロードして利用可能とするために必要なユーザの認証情報を前記ユーザ端末に放送した後、前記ユーザ端末において予め記憶された認証情報と前記ユーザ端末において受信された認証情報とが合致した場合に、前記ユーザ端末に接続された情報機器が、前記ソフトウェア又はデータを前記リムーバブルメディアからロードし、当該情報機器内部の記憶装置へ記憶するようにしてもよい。
【手続補正１５】
【補正対象書類名】明細書
【補正対象項目名】００２２
【補正方法】変更
【補正の内容】
【００２２】
本発明のソフトウェア取得方法は、放送局から個々のユーザに対する視聴ライセンスを認証する認証情報を含めて放送された番組を受信し、当該認証情報を用いて前記番組を再生可能な端末装置がソフトウェアを取得する方法であって、前記認証情報を予め記憶し、前記放送局から、ソフトウェア及び前記認証情報を含む番組放送を受信し、前記記憶手段により記憶された認証情報と、前記受信手段により受信した認証情報とを照合し、前記照合手段による照合結果に基づき、前記受信手段により受信したソフトウェアをダウンロードすることを特徴としている。
本発明の別の観点に係るソフトウェア取得方法は、放送局から個々のユーザに対する視聴ライセンスを認証する認証情報を含めて放送された番組を受信し、当該認証情報を用いて前記番組を再生可能な端末装置がソフトウェアを取得する方法であって、前記認証情報を予め記憶し、前記放送局から放送される前記認証情報を受信し、前記記憶手段により記憶された前記認証情報と、前記受信手段により受信した認証情報とを照合し、前記照合手段の照合結果に基づき、ソフトウェア又はデータを蓄積したサーバから当該ソフトウェア又はデータをロードすることを特徴としている。
本発明の更に別の観点に係るソフトウェア取得方法は、放送局から個々のユーザに対する視聴ライセンスを認証する認証情報を含めて放送された番組を受信し、当該認証情報を用いて前記番組を再生可能な端末装置がソフトウェアを取得する方法であって、前記認証情報を予め記憶し、前記放送局から放送される前記認証情報を受信し、前記記憶手段により記憶された前記認証情報と、前記受信手段により受信した認証情報とを照合し、前記照合手段の照合結果に基づき、ソフトウェア又はデータを記憶したリムーバブルメディアから当該ソフトウェア又はデータをロードすることを特徴としている。
【手続補正１６】
【補正対象書類名】明細書
【補正対象項目名】００２３
【補正方法】変更
【補正の内容】
【００２３】
本発明によれば、大容量かつ高品質のソフトウェアを安価で高速にダウンロードすることができる。